(57)【要約】【課題】情報を固定するときに、物理的固定と、電子的固定とを同時に行うことが可能な技術を提供する。【解決手段】情報作成装置１に、複数の第１電極１６と、複数の第２電極１７と、複数の第１電極１６と複数の第２電極１７との間に形成される第１絶縁層１８と、記録面９０に筆記部材が接触することによって筆記部材の接触位置が記録される記録媒体９を、裏面９１に接する平坦面１４０により支持する支持部材１４と、電気的に絶縁され、平坦面１４０と略平行となるように配置される共通電極１５と、共通電極１５と複数の第１電極１６および複数の第２電極１７との間に形成される第２絶縁層１９と、複数の第１電極１６と複数の第２電極１７との電極間容量を測定する測定部と、測定部により測定された電極間容量に基づいて、記録面９０と筆記部材との接触位置を特定する位置特定部とを設け、位置特定部により特定された接触位置に応じて、記憶情報を作成する。【選択図】図２
2014164467.tif 000002
【特許請求の範囲】
【請求項１】
それぞれが第１方向に延びるように配置される複数の第１電極と、
それぞれが第２方向に延びるように配置される複数の第２電極と、
前記複数の第１電極と前記複数の第２電極との間に形成される第１絶縁層と、
第１面および第２面を有し前記第１面に筆記部材が接触することによって前記筆記部材の接触位置が記録される記録媒体を、前記第２面に接する平坦面により支持する支持部材と、
電気的に絶縁され、前記支持部材の前記平坦面と略平行となるように配置される共通電極と、
前記共通電極と前記複数の第１電極および前記複数の第２電極との間に形成される第２絶縁層と、
前記複数の第１電極と前記複数の第２電極との電極間容量を測定する測定部と、
前記測定部により測定された電極間容量に基づいて、前記支持部材に支持された状態の前記記録媒体の前記第１面と前記筆記部材との接触位置を特定する位置特定部と、
を備え、
前記位置特定部により特定された接触位置に応じて、記憶情報を作成する情報作成装置。
【請求項２】
請求項１に記載の情報作成装置であって、
前記記憶情報を画面に表示する表示部をさらに備える情報作成装置。
【請求項３】
請求項２に記載の情報作成装置であって、
前記表示部は、平面視において、前記平坦面と重畳しない位置に前記接触位置を表示する情報作成装置。
【請求項４】
請求項１ないし３のいずれかに記載の情報作成装置であって、
前記支持部材に支持された状態の前記記録媒体に対して、画像を投影する投影部をさらに備える情報作成装置。
【請求項５】
請求項１ないし４のいずれかに記載の情報作成装置であって、
前記支持部材に前記記録媒体が支持されているか否かを検出する検出部をさらに備える情報作成装置。
【請求項６】
請求項１に記載の情報作成装置であって、
前記共通電極は、非透過性の導体材料により形成されている情報作成装置。
【請求項７】
請求項６に記載の情報作成装置であって、
前記位置特定部により特定された接触位置を画面に表示する表示部をさらに備え、
前記表示部の画面は、平面視において、前記平坦面と重畳しない位置に設けられる情報作成装置。
【請求項８】
請求項６または７に記載の情報作成装置であって、
前記共通電極は銅を含む情報作成装置。
【請求項９】
請求項１ないし８のいずれかに記載の情報作成装置であって、
前記記録媒体の少なくとも一部分を固定する固定部材をさらに備える情報作成装置。
【発明の詳細な説明】
【技術分野】
【０００１】
本発明は、情報を固定する技術に関する。
【背景技術】
【０００２】
文字や図形などの情報を紙に描いて書面を作成する行為は、コンピュータが普及した現状においても普通に行われている。情報を固定し保存する際に、「筆記用具を用いて紙に書く」という行為は、人にとって手軽な行為であるとともに、このようにして作成された書面も比較的扱いやすい記憶媒体だからである。しかしながら、コンピュータが普及した現代においては、様々な情報が電子化されて利用されており、一旦、紙などの物理的な物体を媒体として形成された情報についても、利便性や保管容易性等を目的として、電子化したいと望まれる場合がある。これを実現する方法としては、書面をスキャナで読み取る方法やデジタルカメラで撮影する方法などが知られている。
【０００３】
一方で、すでに電子化されてメモリなどの電子的な記憶媒体に固定されている情報についても、ディスプレイ等の表示装置に表示させるだけでなく、実際の紙に表現して利用したいと望まれる場合がある。これを実現する方法としては、電子化された情報をプリンタによって紙に印刷する方法が知られている。
【０００４】
このように、昨今では、用途や目的に応じて、同じ情報であっても、紙やフィルムなどの物理的な記憶媒体に固定して利用する場合と、メモリやＣＤ−ＲＯＭなどの電子的な記憶媒体に固定して利用する場合とを使い分ける必要がある。なお、以下の説明では、情報を、紙やフィルムなどの物理的な記憶媒体に固定することを「物理的固定」と称し、物理的に固定された状態の情報を利用することを「物理的利用」と称する。また、情報を、メモリやＣＤ−ＲＯＭなどの電子的な記憶媒体に固定することを「電子的固定」と称し、電子的に固定された状態の情報を利用することを「電子的利用」と称する。
【発明の概要】
【発明が解決しようとする課題】
【０００５】
ところが、従来の技術において、物理的固定は、「筆記」や「印刷」、「現像」などといった処理が必要であり、電子的固定は、「キーボードやマウス、タッチパネル等の操作」や「スキャナ読み取り」、「撮影」、「録音」などといった処理が必要となる。すなわち、従来の技術では、情報を固定する際に、将来の物理的利用および電子的利用を想定して、物理的な記憶媒体への固定と、電子的な記憶媒体への固定とを実行しようとしても、これらを同時に行うことができないという問題があった。
【０００６】
例えば、従来のタッチパネルを備えたコンピュータで説明すると、タッチパネルの表面をタッチペン（導体）で触れつつ移動させることにより、タッチペンのペン先の軌跡（筆跡）をコンピュータに入力することができる。そして、筆跡が文字を表現している場合において、当該筆跡をテキスト情報に変換せずに、筆跡のまま保存しておくことももちろん可能である。しかし、このようにして記録された情報（筆跡）は、電子的に固定されているのであって、物理的に固定されているわけではない。したがって、物理的利用を望む場合には、コンピュータに電子的に固定された情報（筆跡）をさらに印刷等する必要がある。すなわち、タッチパネルの表面をタッチペンで触れつつ移動させるという操作では、電子的固定しか達成されない。
【０００７】
一方、従来のタッチパネルの表面は比較的硬度が高い素材で構成されている。したがって、当該タッチパネルの表面に紙を置いて、当該紙の表面を筆記具で触れつつ移動させることにより、筆記具の筆先の軌跡（筆跡）を紙に記録することも可能であろう。そして、このようにして筆跡が記録された紙は、当然に物理的利用が可能である。しかし、従来のタッチパネル上に載置された紙の表面を筆記具で触れつつ移動させたとしても、コンピュータに対して筆跡が入力されることはなく、電子的利用を望む場合には、当該紙に記録された筆跡をさらにスキャナ等で読み取らなければならない。すなわち、従来のタッチパネル上に紙を置いて、その表面を筆記具で触れつつ移動させるという操作を実行したとしても、物理的固定しか達成されない。
【０００８】
本発明は、上記課題に鑑みてなされたものであり、情報を固定するときに、物理的固定と、電子的固定とを同時に行うことが可能な技術を提供することを目的とする。
【課題を解決するための手段】
【０００９】
上記の課題を解決するため、請求項１の発明は、それぞれが第１方向に延びるように配置される複数の第１電極と、それぞれが第２方向に延びるように配置される複数の第２電極と、前記複数の第１電極と前記複数の第２電極との間に形成される第１絶縁層と、第１面および第２面を有し前記第１面に筆記部材が接触することによって前記筆記部材の接触位置が記録される記録媒体を、前記第２面に接する平坦面により支持する支持部材と、電気的に絶縁され、前記支持部材の前記平坦面と略平行となるように配置される共通電極と、前記共通電極と前記複数の第１電極および前記複数の第２電極との間に形成される第２絶縁層と、前記複数の第１電極と前記複数の第２電極との電極間容量を測定する測定部と、前記測定部により測定された電極間容量に基づいて、前記支持部材に支持された状態の前記記録媒体の前記第１面と前記筆記部材との接触位置を特定する位置特定部とを備え、前記位置特定部により特定された接触位置に応じて、記憶情報を作成する。
【００１０】
また、請求項２の発明は、請求項１の発明に係る情報作成装置であって、前記記憶情報を画面に表示する表示部をさらに備える。
【００１１】
また、請求項３の発明は、請求項２の発明に係る情報作成装置であって、前記表示部は、平面視において、前記平坦面と重畳しない位置に前記接触位置を表示する。
【００１２】
また、請求項４の発明は、請求項１ないし３のいずれかの発明に係る情報作成装置であって、前記支持部材に支持された状態の前記記録媒体に対して、画像を投影する投影部をさらに備える。
【００１３】
また、請求項５の発明は、請求項１ないし４のいずれかの発明に係る情報作成装置であって、前記支持部材に前記記録媒体が支持されているか否かを検出する検出部をさらに備える。
【００１４】
また、請求項６の発明は、請求項１の発明に係る情報作成装置であって、前記共通電極は、非透過性の導体材料により形成されている。
【００１５】
また、請求項７の発明は、請求項６の発明に係る情報作成装置であって、前記位置特定部により特定された接触位置を画面に表示する表示部をさらに備え、前記表示部の画面は、平面視において、前記平坦面と重畳しない位置に設けられる。
【００１６】
また、請求項８の発明は、請求項６または７の発明に係る情報作成装置であって、前記共通電極は銅を含む。
【００１７】
また、請求項９の発明は、請求項１ないし８のいずれかの発明に係る情報作成装置であって、前記記録媒体の少なくとも一部分を固定する固定部材をさらに備える。
【発明の効果】
【００１８】
請求項１ないし９に記載の発明は、それぞれが第１方向に延びるように配置される複数の第１電極と、それぞれが第２方向に延びるように配置される複数の第２電極と、複数の第１電極と複数の第２電極との間に形成される第１絶縁層と、第１面および第２面を有し当該第１面に筆記部材が接触することによって筆記部材の接触位置が記録される記録媒体を、第２面に接する平坦面により支持する支持部材と、電気的に絶縁され、支持部材の平坦面と略平行となるように配置される共通電極と、共通電極と複数の第１電極および複数の第２電極との間に形成される第２絶縁層と、複数の第１電極と複数の第２電極との電極間容量を測定する測定部と、測定部により測定された電極間容量に基づいて、支持部材に支持された状態の記録媒体の第１面と筆記部材との接触位置を特定する位置特定部とを備え、位置特定部により特定された接触位置に応じて、記憶情報を作成する。これにより、紙などの記録媒体への固定と、電子的な記憶媒体への固定とを同時に実現することができる。また、平坦面が筆記時の下敷きとして機能するため、記録媒体への書き心地が向上する。
【図面の簡単な説明】
【００１９】
【図１】第１の実施の形態における情報作成装置に記録媒体を載せた様子を示す図である。
【図２】第１の実施の形態における情報作成装置の概略断面図である。
【図３】第１の実施の形態における第１電極を示す図である。
【図４】第１の実施の形態における第２電極を示す図である。
【図５】共通電極、第１電極および第２電極の位置関係を示す概略図である。
【図６】タッチパネル部上の記録媒体に筆記具により筆記する様子を示した概略図である。
【図７】第１の実施の形態における情報作成装置のブロック図である。
【図８】情報作成装置が備える機能ブロックをデータの流れとともに示す図である。
【図９】情報作成装置の動作を示す流れ図である。
【図１０】情報固定方法を示す流れ図である。
【図１１】第２の実施の形態における情報作成装置を示す図である。
【図１２】第３の実施の形態における情報作成装置の概略断面図である。
【発明を実施するための形態】
【００２０】
以下、本発明の好適な実施の形態について、添付の図面を参照しつつ、詳細に説明する。ただし、以下の説明において特に断らない限り、方向や向きに関する記述は、当該説明の便宜上、図面に対応するものであり、例えば実施品、製品または権利範囲等を限定するものではない。
【００２１】
＜１．  第１の実施の形態＞
図１は、第１の実施の形態における情報作成装置１に記録媒体９を載せた様子を示す図である。図１に示すように、情報作成装置１は、操作部１０、固定部材１１、検出部１２およびタッチパネル部１３を備えている。なお、以下の説明では、便宜上、情報作成装置１に対する三次元方向として、Ｘ方向、Ｙ方向およびＺ方向を図１に示す向きに定義する。また、以下の説明において「平面視」とは、Ｚ軸に平行な向きに目視した場合の見え方を意味するものとする。すなわち、図１は、情報作成装置１に記録媒体９を載せた状態を平面視した図とも言える。ただし、「平面視」と言う場合には、透明の物体もその形状が見えるものとして扱う。
【００２２】
操作部１０は、情報作成装置１に対してユーザの指示を入力するためのハードウェアである。操作部１０は、ユーザによって操作され、当該ユーザと情報作成装置１との間のユーザーインタフェースを構成する。なお、操作部１０としては、例えば、各種キーやボタン類、回転型セレクターなどが該当する。操作部１０は、例えば、情報作成装置１に電源を投入するときや、筆記部材（後述）による筆跡の選択（電子的固定の際の筆跡選択。例えば、太さや形状、色、消しゴムなど）に使用される。
【００２３】
固定部材１１は、いわゆる「クリップ部」を構成しており、図示しないバネ部材の付勢力によって記録媒体９の少なくとも一部分を狭持して固定する機能を有している。これにより、情報作成装置１は、筆記時の記録媒体９のズレ（主にＸ方向およびＹ方向のズレ）を抑制することができる。したがって、ユーザの記録媒体９に対する書き心地が向上する。
【００２４】
検出部１２は、いわゆる物体検出センサであって、図１に示すような位置に設けられている。これにより、検出部１２は、検出部１２の（＋Ｚ）側に物体（特に記録媒体９）が存在しているか否かを検出する機能を有している。なお、本実施の形態における情報作成装置１では、検出部１２が固定部材１１を記録媒体９として誤検出しないように、検出部１２の（＋Ｚ）側の位置において固定部材１１には穴が設けられている。
【００２５】
図２は、第１の実施の形態における情報作成装置１の概略断面図である。なお、図２において、情報作成装置１の一部の構成（例えば筐体）については図示を省略している。また、図２は概略図であり、各構成のサイズ（例えば厚みや幅など）を忠実に示すものではなく、これらの関係は図２に示されている関係に限定されるものではない。
【００２６】
図２には、記録媒体９を情報作成装置１（タッチパネル部１３）に載置する様子も示している。記録媒体９は、図示しない筆記部材（例えば、ペンや鉛筆などの筆記用具）が接触することによって当該筆記部材の接触位置が記録される記録面９０（第１面）と、記録面９０に対してＺ軸方向反対側に形成される裏面９１（第２面）とを有する薄膜状の物体（構造物）である。記録媒体９としては、例えば、紙やフィルムなどが該当するが、これらに限定されるものではない。
【００２７】
情報作成装置１は、表示部としての液晶ディスプレイ２０の（＋Ｚ）側にタッチパネル部１３が配置された構造を有している。すなわち、液晶ディスプレイ２０の画面とタッチパネル部１３とは平面視において重畳するように配置されている。なお、液晶ディスプレイ２０については、タッチパネルの下層に配置される従来の装置を適宜採用可能であるため、以下ではその構造等については適宜説明を省略する。
【００２８】
タッチパネル部１３は、支持部材１４、共通電極１５、第１電極１６、第２電極１７、第１絶縁層１８および第２絶縁層１９を備えており、詳細は後述するが静電容量式のタッチパネルを構成している。第１の実施の形態における情報作成装置１では、上記のとおり、液晶ディスプレイ２０の画面を視認する側にタッチパネル部１３が配置される。したがって、タッチパネル部１３における各構成（平面視において液晶ディスプレイ２０の画面と重畳する位置に配置される構成）については、液晶ディスプレイ２０に表示される画像をタッチパネル部１３のさらに（＋Ｚ）側から視認できるように光透過性に優れた素材で構成されている。
【００２９】
第１の実施の形態における支持部材１４は薄板状の部材である。支持部材１４は、支持部材１４の（−Ｚ）側に配置される構成（共通電極１５、第１電極１６、第２電極１７など）を保護する保護層としての機能を有している。ただし、一般的なタッチパネルにおいて保護層の硬度は比較的高いのが普通であるが、支持部材１４は、Ｚ軸方向の圧力に対して変形する（撓む）部材で構成されている。
【００３０】
図２に示すように、支持部材１４の（＋Ｚ）側表面は、平坦面１４０を形成している。平坦面１４０は、ＸＹ平面に略平行となるように凹凸を抑制した形状となるように形成され、情報作成装置１における外表面の一部を構成している。平坦面１４０は、支持部材１４に載置された記録媒体９の裏面９１に接することにより、記録媒体９を情報作成装置１上に支持する。このように、支持部材１４は、保護層として機能するだけでなく、記録媒体９を裏面９１に接する平坦面１４０により支持する機能を有している。
【００３１】
なお、記録媒体９を裏返して両面を使用する場合には、記録面９０と裏面９１が入れ替わることになる。すなわち、記録面９０と裏面９１とは、記録媒体９が支持部材１４に支持されている状態（姿勢）において定義される呼称であって、それ以外の場合には特に区別されなくてもよい。さらに、支持部材１４は、共通電極１５を電気的に絶縁する機能も有しており、絶縁材料により構成されている。
【００３２】
共通電極１５は、薄膜状の導電性部材であり、情報作成装置１において電気的に絶縁されている。共通電極１５は、支持部材１４と同様にＺ軸方向の圧力に対して変形する（撓む）素材で構成されている。共通電極１５の素材としては、例えば、ポリチオフェン系有機導電材料、スルホン化ポリアニン、ポリピロールなどの有機導電材料、ＩＴＯ（Indium Tin Oxide）粒子分散合成樹脂などが挙げられる。ただし、これらの材料に限定されるものではない。
【００３３】
また、図２に示すように、共通電極１５は、支持部材１４に対して下層（（−Ｚ）側の層）を成し、支持部材１４のほぼ全面にわたって設けられている。すなわち、共通電極１５は、平坦面１４０と略平行となるように配置されている。
【００３４】
図３は、第１の実施の形態における第１電極１６を示す図である。また、図４は、第１の実施の形態における第２電極１７を示す図である。図３、図４は、それぞれ第１電極１６、第２電極１７の平面視におけるパターンを示している。
【００３５】
第１電極１６は、Ｚ軸方向に薄い薄膜状の導体部材であって、Ｙ軸方向（第１方向）に延びるように配置される。第１の実施の形態における第１電極１６は、すでに説明したように、光透過性に優れた素材から構成されている。第１電極１６の素材としては、例えば、ＩＴＯなどを用いることができる。
【００３６】
第１電極１６は、ＸＹ平面に平行な向きの面積が比較的広い部分として形成されるパッド部１６０と、ＸＹ平面に平行な向きの面積が比較的狭い部分として形成される交差部１６１とが交互に形成されたパターンを有している。言い換えれば、第１電極１６は、複数のパッド部１６０が交差部１６１によって互いに連結された形状となっている。
【００３７】
第２電極１７は、Ｚ軸方向に薄い薄膜状の導体部材であって、Ｘ軸方向（第２方向）に延びるように配置される。第１の実施の形態における第２電極１７は、第１電極１６と同様に光透過性に優れた素材から構成されている。第２電極１７の素材としても、例えば、ＩＴＯなどを用いることができる。
【００３８】
第２電極１７は、ＸＹ平面に平行な向きの面積が比較的広い部分として形成されるパッド部１７０と、ＸＹ平面に平行な向きの面積が比較的狭い部分として形成される交差部１７１とが交互に形成されたパターンを有している。言い換えれば、第２電極１７は、複数のパッド部１７０が交差部１７１によって互いに連結された形状となっている。
【００３９】
図５は、共通電極１５、第１電極１６および第２電極１７の位置関係を示す概略図である。図５は、共通電極１５、第１電極１６および第２電極１７の位置関係を平面視において示している。
【００４０】
本実施の形態におけるタッチパネル部１３では、複数の第１電極１６がＸ軸方向に配列するように配置されるとともに、複数の第２電極１７がＹ軸方向に配列するように配置される。そして、第１電極１６および第２電極１７が上記のように配置されることにより、タッチパネル部１３におけるＸＹ平面方向が、図５に示すように、ほぼ覆われることになる。
【００４１】
また、平面視において、第１電極１６と第２電極１７とは、交差部１６１および交差部１７１により互いに交差する。すなわち、互いに交差する交差部１６１および交差部１７１は、平面視において重畳する。
【００４２】
共通電極１５は、平面視において、第１電極１６および第２電極１７と重畳するように配置される。言い換えれば、第１電極１６および第２電極１７は、共通電極１５によって（＋Ｚ）側が覆われている。
【００４３】
図２に戻って、第１絶縁層１８は、複数の第１電極１６と複数の第２電極１７との間に形成される。図２に示すように、第１電極１６と第２電極１７は、第１絶縁層１８を介して絶縁されており、互いに接することはない（互いに交差する交差部１６１および交差部１７１においても接触することはない。）。
【００４４】
したがって、電極駆動時には、第１電極１６と第２電極１７との間に電極間容量が発生する。すでに説明したように、交差部１６１および交差部１７１は比較的面積の狭い部分（細線部分）として形成されており、これによって、第１電極１６と第２電極１７との間の交差容量を削減することができる。
【００４５】
第２絶縁層１９は、共通電極１５と複数の第１電極１６および複数の第２電極１７との間に形成される。すなわち、共通電極１５は、第２絶縁層１９により、第１電極および第２電極１７と接触しないようにされている。第２絶縁層１９は、支持部材１４に比較して弾性度の高い素材から構成されており、（＋Ｚ）方向からの圧力により、厚さ（Ｚ軸方向のサイズ）が変化する。本実施の形態における第２絶縁層１９は、ゴムにより構成されている。
【００４６】
図６は、タッチパネル部１３上の記録媒体９に筆記具８により筆記する様子を示した概略図である。なお、図６に示す黒点７は、筆記具８と記録媒体９との接触位置を示している。
【００４７】
筆記具８によって文字や図形を記録媒体９に筆記するときには、筆記具８が記録媒体９を押圧するように接触する。これにより、記録媒体９、支持部材１４および共通電極１５が撓み、第２絶縁層１９の厚みが変化する。したがって、黒点７の位置に対応した位置において、共通電極１５と第１電極１６（第２電極１７）との距離が変化し、第１電極１６と第２電極１７との間の電極間容量が変化する。情報作成装置１は、この電極間容量の変化を捉えて、黒点７の位置を特定する。
【００４８】
なお、筆記動作による共通電極１５と第１電極１６（第２電極１７）との距離の変化は、使用する筆記具８が導体であるか否かを問わずに生じる変化である。したがって、情報作成装置１は、筆記部材（筆記具８）として、絶縁性のペンなども使用することができる。
【００４９】
また、上記の変化は、記録媒体９を取り除いて、筆記部材で直接支持部材１４に筆記した場合にも生じる。したがって、タッチパネル部１３は、記録媒体９を用いない状態であっても、筆記部材としてのタッチペンや指などを用いて入力が可能な装置を構成している。
【００５０】
図７は、第１の実施の形態における情報作成装置１のブロック図である。
【００５１】
ＣＰＵ２１は、記憶装置２２に格納されているプログラム２２０を読み取りつつ実行し、各種データの演算や制御信号の生成等を行う。これにより、ＣＰＵ２１は、情報作成装置１が備える各構成を制御するとともに、各種データを演算し作成する機能を有している。すなわち、情報作成装置１は、一般的なコンピュータとして構成されている。
【００５２】
記憶装置２２は、情報作成装置１において各種データを記憶する機能を提供する。言い換えれば、記憶装置２２が情報作成装置１において電子的に固定された情報を保存する。特に、本実施の形態における記憶装置２２は、プログラム２２０および記憶情報２２１を記憶するために使用される。
【００５３】
記憶装置２２としては、ＣＰＵ２１の一時的なワーキングエリアとして使用されるＲＡＭやバッファ、読み取り専用のＲＯＭ、不揮発性のメモリ（例えばＮＡＮＤメモリなど）、比較的大容量のデータを記憶するハードディスク、専用の読み取り装置に装着された可搬性の記憶媒体（ＰＣカード、ＳＤカード、ＵＳＢメモリなど）等が該当する。図７においては、記憶装置２２を、あたかも１つの構造物であるかのように図示している。しかし、通常、記憶装置２２は、上記例示した各種装置（あるいは媒体）のうち、必要に応じて採用される複数種類の装置から構成されるものである。すなわち、記憶装置２２は、データを記憶する機能を有する装置群の総称である。
【００５４】
また、現実のＣＰＵ２１は高速にアクセス可能なＲＡＭを内部に備えた電子回路である。しかし、このようなＣＰＵ２１が備える記憶装置も、説明の都合上、記憶装置２２に含めて説明する。すなわち、本実施の形態においては、一時的にＣＰＵ２１自体が記憶するデータも、記憶装置２２が記憶するとして説明する。
【００５５】
測定部２３は、タッチパネル部１３に設けられている複数の第１電極１６と複数の第２電極１７との電極間容量を測定する電子回路である。測定部２３は、測定した電極間容量をＣＰＵ２１に向けて伝達する。
【００５６】
図８は、情報作成装置１が備える機能ブロックをデータの流れとともに示す図である。図に示す位置特定部２１０、データ作成部２１１および表示制御部２１２は、ＣＰＵ２１がプログラム２２０に従って動作することにより実現される機能ブロックである。
【００５７】
位置特定部２１０は、測定部２３により測定された電極間容量（測定情報２２２）に基づいて、支持部材１４に支持された状態の記録媒体９の記録面９０と、筆記部材との接触位置（黒点７の位置（Ｘ座標位置およびＹ座標位置））を特定する。より詳細には、位置特定部２１０は、黒点７の位置に対応するタッチパネル部１３における位置を特定する。さらに位置特定部２１０は、特定した接触位置に応じて接触位置情報２２３を作成し記憶装置２２に記憶させる。
【００５８】
なお、位置特定部２１０が接触位置を特定する手法については従来技術であるため、これ以上詳細な説明は省略するが、例えば、特開２０１２−０６８８９３号公報に記載された技術を適宜採用することができる。また、接触位置情報２２３は、接触位置の履歴としても作成（更新）される場合がある。すなわち、接触位置情報２２３は、時系列に従って接触位置を記録した情報となる場合もある。
【００５９】
データ作成部２１１は、位置特定部２１０により特定された接触位置に応じて、記憶情報２２１を作成し、記憶装置２２に記憶させる。
【００６０】
このように、情報作成装置１では、位置特定部２１０およびデータ作成部２１１が主に情報の電子的固定を実行する。
【００６１】
表示制御部２１２は、液晶ディスプレイ２０を制御するとともに、液晶ディスプレイ２０の画面に各種データを表示させる。特に、表示制御部２１２は、検出部１２の検出結果（検出情報２２４）に応じて、液晶ディスプレイ２０の画面に表示させる表示内容（画像）を変更する。
【００６２】
例えば、記録媒体９を検出したときは、それまで表示していた内容を消してもよい。第１の実施の形態における情報作成装置１では、支持部材１４に記録媒体９が支持されている状態では、当該記録媒体９によって液晶ディスプレイ２０の画面が隠れることになる。このような場合には、液晶ディスプレイ２０の画面をユーザが視認することができないので、何も表示しない状態にして電力消費を抑制することが好ましい。
【００６３】
また、支持部材１４に支持された状態の記録媒体９に対して、液晶ディスプレイ２０を用いて画像を投影することも可能である。液晶ディスプレイ２０にはバックライト（図示せず）が使用されているので、記録媒体９が通常のコピー用紙程度の薄さのものであれば、裏面９１に投影された画像を記録面９０側から視認することができる。このような画像としては、例えば、記入欄や枠線などが想定される。無地の便せんを記録媒体９として用い、これに液晶ディスプレイ２０から枠線画像を投影すれば、ユーザは投影された枠線画像に従って便せんに筆記することができる。これにより、ユーザの記録媒体９に対する筆記動作を支援することができる。
【００６４】
以上が第１の実施の形態における情報作成装置１の構成および機能の説明である。次に、情報作成装置１の動作について説明する。
【００６５】
図９は、情報作成装置１の動作を示す流れ図である。なお、稼働モードとは、情報作成装置１の電源が投入されて、所定の初期設定が実行された状態の動作モードである。
【００６６】
稼働モードにおいて、情報作成装置１は、検出部１２による検出情報２２４の作成処理（ステップＳ１）と、当該検出部１２によって作成された検出情報２２４に基づいて記録媒体９が検出されたか否かを判定する処理（ステップＳ２）とを実行している。また、稼働モードにおいて、情報作成装置１は、測定部２３による測定情報２２２の作成処理（ステップＳ６）と、当該測定部２３によって作成された測定情報２２２に基づいて電極間容量が変化したか否かを判定する処理（ステップＳ７）とを実行している。
【００６７】
これにより、情報作成装置１は、稼働モードにおいて、記録媒体９の有無と、電極間容量の変化とを監視している。なお、情報作成装置１が稼働モードにおいて実行する処理は、これらの処理に限定されるわけではない。例えば、操作部１０に対する操作等を監視していてもよい。
【００６８】
稼働モードにおいて記録媒体９が検出されると、ＣＰＵ２１はステップＳ２においてＹｅｓと判定する。次に、表示制御部２１２が、液晶ディスプレイ２０の画面に表示されている情報（表示内容）を、記録媒体９が存在する場合に適した内容に変更する（ステップＳ３）。
【００６９】
ステップＳ３において実行される処理は、いわゆる表示切り替え処理であり、例えば、液晶ディスプレイ２０をＯＦＦ状態にする、あるいは、平面視において記録媒体９と重畳しない部分のみを表示画面として使用するなどが想定される。これにより、記録媒体９によって隠れてしまうことにより、ユーザが視認できない部分に不必要な情報が表示されたままになることを防止することができる。
【００７０】
次に、表示制御部２１２は、記録媒体９に向けて投影すべき画像（投影画像）が定義されているか否かを判定する（ステップＳ４）。そして、投影画像が定義されている場合には、表示制御部２１２が当該投影画像を投影するように液晶ディスプレイ２０を制御する。これにより、液晶ディスプレイ２０が当該投影画像を記録媒体９に向けて投影する（ステップＳ５）。なお、投影画像の定義は、予め投影画像を表現したデータを記憶装置２２に記憶させておき、状況（例えば、起動中のアプリケーションの動作状況や操作部１０の操作状況など）に応じて当該データを参照し利用するように設定しておくことで実現できる。
【００７１】
稼働モードにおいて電極間容量の変化が検出されると、ＣＰＵ２１はステップＳ７においてＹｅｓと判定する。そして、位置特定部２１０が、電極間容量に変化がみられた電極（第１電極１６および第２電極１７）の位置関係に応じて、筆記部材と記録媒体９との接触位置（より厳密にはＸ座標位置およびＹ座標位置）を特定する（ステップＳ８）。さらに、位置特定部２１０は、特定した接触位置に応じて接触位置情報２２３を作成する（ステップＳ９）。
【００７２】
接触位置情報２２３が作成（更新）されると、データ作成部２１１は、接触位置情報２２３に基づいて記憶情報２２１を作成し（ステップＳ１０）、記憶装置２２に記憶させる。このように、情報作成装置１は、筆記部材と記録媒体９との接触位置に応じた情報を電子的固定することが可能である。
【００７３】
次に、情報作成装置１を用いて、情報の物理的固定と電子的固定とを同時に実行する情報固定方法について説明する。なお、以下の実施の形態において、固定される情報（記憶情報２２１）は、筆記による接触位置の軌跡情報を例に説明する。ただし、記憶情報２２１は、軌跡情報に限定されるものではない。例えば、筆記部材の接触位置の軌跡形状に対して文字認識処理を施し、当該文字認識処理によって特定された文字に対応したテキスト情報を記憶情報２２１としてもよい。あるいは、筆跡に相当する部分を消した状態の記憶情報２２１を作成してもよい（消しゴム機能）。
【００７４】
図１０は、情報固定方法を示す流れ図である。
【００７５】
まず、情報を固定しようとするユーザは、情報作成装置１の電源を投入する（ステップＳ１１）。これにより、情報作成装置１が起動し、所定の初期設定を実行した後、稼働モードに移行する。
【００７６】
次に、ユーザは、物理的固定を施す対象としての記録媒体９を選定し、情報作成装置１の固定部材１１を操作しつつ、当該記録媒体９を支持部材に支持させる。これにより、記録媒体９が情報作成装置１に装着される（ステップＳ１２）。
【００７７】
情報作成装置１および記録媒体９の準備が整うと、ユーザは、筆記具８を用いて、当該記録媒体９の記録面９０に対する筆記動作を行う（ステップＳ１３）。これにより、筆記具８と記録面９０との接触位置の軌跡が筆跡として記録媒体９に記録されるとともに、すでに説明したように、情報作成装置１に筆記具８と記録面９０との接触位置の軌跡が記憶情報２２１として記録される。
【００７８】
このように、ユーザは、稼働モード中の情報作成装置１を下敷きとして使用しつつ、記録媒体９に対して筆記動作を行うだけで、筆跡（筆跡により表現される情報）の物理的固定と電子的固定とを同時に実現することができる。
【００７９】
以上のように、第１の実施の形態における情報作成装置１は、それぞれがＹ方向に延びるように配置される複数の第１電極１６と、それぞれがＸ方向に延びるように配置される複数の第２電極１７と、複数の第１電極１６と複数の第２電極１７との間に形成される第１絶縁層１８と、記録面９０および裏面９１を有し当該記録面に筆記部材が接触することによって当該筆記部材の接触位置が記録される記録媒体９を、当該裏面９１に接する平坦面１４０により支持する支持部材１４と、電気的に絶縁され、支持部材１４の平坦面１４０と略平行となるように配置される共通電極１５と、共通電極１５と複数の第１電極１６および複数の第２電極１７との間に形成される第２絶縁層１９と、複数の第１電極１６と複数の第２電極１７との電極間容量を測定する測定部２３と、測定部２３により測定された電極間容量に基づいて、支持部材１４に支持された状態の記録媒体９の記録面９０と筆記部材との接触位置を特定する位置特定部２１０とを備え、位置特定部２１０により特定された接触位置（接触位置情報２２３）に応じて、記憶情報２２１を作成する。これにより、紙などの記録媒体９への固定と、電子的な記憶媒体（記憶装置２２）への固定とを同時に実現することができる。また、平坦面１４０が筆記時の下敷きとして機能するため、記録媒体９への書き心地が向上する。
【００８０】
また、支持部材１４に支持された状態の記録媒体９に対して、画像を投影する投影部（液晶ディスプレイ２０）をさらに備えることにより、例えば、記入欄や枠線を記録媒体９上に投影して、ユーザの筆記動作を支援することができる。
【００８１】
また、支持部材１４に記録媒体９が支持されているか否かを検出する検出部１２をさらに備えることにより、例えば、記録媒体９によって画面が隠れる場合には、液晶ディスプレイ２０が接触位置などを表示していても効果がないので、画面を消して電力消費を抑制するといったことが可能となる。逆に、記録媒体９が存在しない場合には投影画像を投影する必要がないので、投影画像を表示しないことにより、不要な画像が投影されることを防止できる。
【００８２】
また、記録媒体９の少なくとも一部分を固定する固定部材１１をさらに備えることにより、筆記時の記録媒体９のズレを抑制できるので、記録媒体９に対する書き心地が向上する。
【００８３】
なお、第１の実施の形態におけるタッチパネル部１３の構成および構造としては、第１の実施の形態に記載した構成および構造に限定されるものではなく、従来の技術（特開２０１２−０６８８９３号公報に記載された技術）を適宜採用することができる。例えば、第１電極１６および第２電極１７の平面視におけるパターンは、図５に示したものに限定されるものではない。
【００８４】
＜２．  第２の実施の形態＞
第１の実施の形態では、記録媒体９が装着されると、液晶ディスプレイ２０の画面に表示されている情報が視認できない場合があった（記録媒体９が透明でない場合など）。そのような場合には、記憶情報２２１の確認などに支障をきたす場合もある。しかしながら、本発明は、そのような構成に限定されるものではない。
【００８５】
図１１は、第２の実施の形態における情報作成装置１ａを示す図である。なお、第２の実施の形態における情報作成装置１ａにおいて、第１の実施の形態における情報作成装置１と同様の構成については同符号を付し、適宜説明を省略する。
【００８６】
液晶ディスプレイ２０ａは、平面視において、タッチパネル部１３と重畳しない位置に配置されており、平坦面１４０と重畳しない位置に記憶情報２２１（接触位置）を表示する。したがって、平坦面１４０に支持された記録媒体９によって液晶ディスプレイ２０ａの画面が隠されることはない。すなわち、筆記動作中に液晶ディスプレイ２０ａの画面に記憶情報２２１（筆跡）を表示すれば、記録媒体９が非透過性の材料で構成されている場合であっても、記憶情報２２１（接触位置）を確認しながら筆記することができる。
【００８７】
なお、第２の実施の形態における情報作成装置１においても、投影部としての液晶ディスプレイ２０（記録媒体９が存在しない場合の表示部）を設けていてもよい。
【００８８】
＜３．  第３の実施の形態＞
上記実施の形態では、共通電極１５が光透過性の高い素材で構成されている例について説明したが、本発明はこのような素材に限定されるものではない。
【００８９】
図１２は、第３の実施の形態における情報作成装置１ｂの概略断面図である。なお、図１２において、情報作成装置１ｂの一部の構成（例えば筐体）については図示を省略している。また、図１２は概略図であり、各構成のサイズ（例えば厚みや幅など）を忠実に示すものではなく、これらの関係は図１２に示されている関係に限定されるものではない。
【００９０】
第３の実施の形態における情報作成装置１ｂは、タッチパネル部１３の代わりにタッチパネル部１３ａを備えている点、および、液晶ディスプレイ２０を備えていない点が、第１の実施の形態における情報作成装置１と異なっている。以下、第３の実施の形態における情報作成装置１ｂにおいて、第１の実施の形態における情報作成装置１と同様の構成については同符号を付し、適宜説明を省略する。
【００９１】
共通電極１５ａは、非透過性の導体材料により形成されている点が、第１の実施の形態における共通電極１５と異なっている。このように、非透過性の導体材料を採用可能に構成することにより、共通電極１５ａを形成する材料選択の自由度が増し、共通電極１５ａの材料として、接触位置の検出精度が向上する材料を優先的に採用することができるようになる。
【００９２】
このような導体材料として、第３の実施の形態における情報作成装置１ｂでは、「銅」を含む素材を共通電極１５ａの素材として採用する。銅製の共通電極１５ａは、光透過性には劣るものの、ＩＴＯ製の共通電極１５に比べて抵抗率が低いという特性がある。そのため、筆記動作による変形時において電極間容量の挙動（振る舞い）が安定し、位置特定部２１０による接触位置の検出精度が向上する。共通電極１５ａの材料として採用可能な抵抗率の低い材料としては、銅の他にも、例えば、金、銀、鉄等の金属材料（合金を含む。）が想定される。ただし、金属材料に限定されるものではない。
【００９３】
なお、「非透過性の材料」とは光を完全に遮断する材料に限定する意味ではなく、ＩＴＯ膜などのように一般に「透明」と呼ばれる材料に比べて光透過性が劣っている材料という意味に使用する。すなわち、下層に配置された表示装置（液晶ディスプレイ）に表示される画像を実質的に視認できない程度にしか透過させない材料を含む意味である。また、情報作成装置１ｂにおいて、画面が平面視において平坦面１４０と重畳しない位置に設けられる液晶ディスプレイ２０ａを設けて、位置特定部２１０により特定された接触位置を画面に表示すれば、筆記動作中に関わらず、いつでも表示内容を目視により確認することができる。
【００９４】
また、情報作成装置１ｂでは、液晶ディスプレイ２０を設けていないので、支持部材１４、第１電極１６、第２電極１７、第１絶縁層１８、および、第２絶縁層１９についても、光透過性の高い素材にこだわることなく、自由に適切な材料を選択することができる。
【００９５】
＜４．  変形例＞
以上、本発明の実施の形態について説明してきたが、本発明は上記実施の形態に限定されるものではなく様々な変形が可能である。
【００９６】
例えば、上記実施の形態では、いわゆる自己容量法を採用した場合を前提に黒点７の位置を特定する原理について説明したが、本発明は自己容量法に限定されるものではなく、いわゆる相互容量法にも適用可能である。筆記動作により、黒点７の位置に対応した位置において、共通電極１５と第１電極１６（第２電極１７）との距離が近接すると、電気力線が共通電極１５側に奪われるために、第１電極１６と第２電極１７との間に形成される相互容量が減少する。相互容量法を採用する場合には、この相互容量の変化を捉えて、黒点７の位置を特定することができる。
【００９７】
また、上記実施の形態に示した各工程は、あくまでも例示であって、上記に示した順序や内容に限定されるものではない。すなわち、同様の効果が得られるならば、適宜、順序や内容が変更されてもよい。例えば、情報作成装置１に電源を投入する工程（ステップＳ１１）と、記録媒体９を情報作成装置１に装着する工程（ステップＳ１２）とを入れ替えてもよい。
【００９８】
また、上記実施の形態に示した機能ブロック（例えば、位置特定部２１０やデータ作成部２１１）は、ＣＰＵ２１がプログラム２２０に従って動作することにより、ソフトウェア的に実現されると説明した。しかし、これらの機能ブロックの一部または全部を専用の論理回路で構成し、ハードウェア的に実現してもよい。
【００９９】
また、固定部材１１の構造は上記実施の形態に示したクリップ構造に限定されるものではない。例えば、情報作成装置１の筐体の所定の位置に突起部（固定部材１１）を設け、当該突起部を記録媒体９に形成された穴（例えばパンチ穴）に挿入させることにより当該記録媒体９を固定する構造としてもよい。あるいは、６穴リングを備えたブックカバー構造（システム手帳のような構造）の固定部材１１を設け、当該固定部材１１に対して情報作成装置１の本体がＸ軸に平行な軸を中心として回動可能な構造とし、６穴リングに束ねられた複数枚の記録媒体９の任意のページの位置に当該本体を挟み込めるようにしてもよい。
【０１００】
また、上記実施の形態における支持部材１４は記録媒体９を支持することにより、当該記録媒体９の主に（−Ｚ）方向への動きを規制する。しかし、支持する記録媒体９については、Ｘ方向またはＹ方向の動きについても抑制すべきである。したがって、支持部材１４としては、記録媒体９との間の摩擦係数が大きい材料（あるいは、筆記を妨げない程度の凹凸（荒らし加工））を採用してもよい。
【０１０１】
また、タッチパネル部１３を構成する各層（例えば、支持部材１４や第２絶縁層１９など）は、それぞれが単一の層として構成されている必要はなく、様々な異なる組成または構造の層が積層されていてもよい。
【０１０２】
また、第２絶縁層１９は、固体に限定されるものではない。例えば、共通電極１５と第１絶縁層１８との間に封入される気体（空気など）と、スペーサ（共通電極１５が第１電極１６または第２電極１７と触れないように間隔を確保する機能を有する。）とから構成されてもよい。
【０１０３】
また、記録媒体９の裏面９１に粘着材料を塗布し、当該粘着材料の粘着性により記録媒体９を情報作成装置１に貼付するようにしてもよい。ただし、貼付後の記録媒体９を情報作成装置１から容易に剥離可能であり、かつ、記録媒体９を剥離する際に当該粘着材料が情報作成装置１に残存しないことが好ましい。
【０１０４】
また、上記実施の形態では、表示部として液晶ディスプレイ２０，２０ａを例に説明した。しかし、本発明の表示部は液晶ディスプレイを備える形態に限定されるものではなく、電子ペーパーや有機ＥＬディスプレイであってもよい。
【符号の説明】
【０１０５】
１，１ａ，１ｂ  情報作成装置
１０  操作部
１１  固定部材
１２  検出部
１３，１３ａ  タッチパネル部
１４  支持部材
１４０  平坦面
１５，１５ａ  共通電極
１６  第１電極
１６０，１７０  パッド部
１６１，１７１  交差部
１７  第２電極
１８  第１絶縁層
１９  第２絶縁層
２０，２０ａ  液晶ディスプレイ
２１  ＣＰＵ
２１０  位置特定部
２１１  データ作成部
２１２  表示制御部
２２  記憶装置
２２０  プログラム
２２１  記憶情報
２２２  測定情報
２２３  接触位置情報
２２４  検出情報
２３  測定部
７  黒点
８  筆記具
９  記録媒体
９０  記録面
９１  裏面
【図１】
2014164467.tif 000003
【図２】
2014164467.tif 000004
【図３】
2014164467.tif 000005
【図４】
2014164467.tif 000006
【図５】
2014164467.tif 000007
【図６】
2014164467.tif 000008
【図７】
2014164467.tif 000009
【図８】
2014164467.tif 000010
【図９】
2014164467.tif 000011
【図１０】
2014164467.tif 000012
【図１１】
2014164467.tif 000013
【図１２】
2014164467.tif 000014